(57)【特許請求の範囲】
【請求項１】
帳票の各種書式を書式定義辞書に格納し、種類判別対象となる帳票の種類を前記書式定義辞書に基づいて判別する複数の帳票処理装置と、各帳票処理装置がそれぞれ有する書式定義辞書を帳票処理装置に対応づけて書式定義辞書データベースで管理するセンター装置とを有する辞書更新システムにおいて、
各帳票処理装置は、
前記種類判別対象となる帳票の水平・垂直方向の黒画素割合をブロック毎に加算した罫線特徴に基づいて該帳票が前記書式定義辞書にない新規な帳票であるか否かを仮判定する仮判定手段と、
前記仮判定手段により前記種類判別対象となる帳票が新規な帳票であると仮判定された場合に、該帳票を前記書式定義辞書に登録された帳票と照合して、当該帳票が前記書式定義辞書にない新規な帳票であるか否かを判定する判定手段と、
前記判定手段により新規な帳票であると判定された場合に、他の帳票処理装置が有する当該帳票に対応する書式定義辞書を前記センター装置から自動的に取得する取得手段と、
前記取得手段により取得された書式定義辞書を用いて、当該帳票処理装置内に保持した書式定義辞書を更新する辞書更新手段と、
前記センター装置から新規な帳票に対応する書式定義辞書を取得したならば、当該新規な帳票に対応する書式定義辞書の取得に要する対価を示すデータを前記センター装置に送信する対価送信手段とを備え、
前記センター装置は、
各帳票処理装置から受信した対価を示すデータに基づいて各帳票処理装置の管理者から取得する対価を管理する対価管理手段を備えた
ことを特徴とする辞書更新システム。
【請求項２】
前記取得手段は、前記判定手段により新規な帳票であると判定された帳票の画像データを前記センター装置に対して送信し、前記センター装置は、前記帳票処理装置から画像データを受け付けた際に、当該画像データに対応する帳票の書式定義辞書を前記書式定義辞書データベースから検索する検索手段と、前記検索手段により書式定義辞書が検索された場合に、当該書式定義辞書を送信元の帳票処理装置に返送する返送手段とを備えたことを特徴とする請求項１に記載の辞書更新システム。
【請求項３】
前記センター装置は、前記検索手段により前記画像データに対応する帳票の書式定義辞書が検索されない場合に、当該画像データに対応する帳票の書式定義辞書を作成する書式定義辞書作成手段と、前記書式定義辞書作成手段により作成された書式定義辞書に基づいて前記書式定義辞書データベースを更新する更新手段とをさらに備え、前記返送手段は、前記書式定義辞書作成手段により作成された書式定義辞書を送信元の帳票処理装置に返送することを特徴とする請求項２に記載の辞書更新システム。
【請求項４】
前記取得手段は、前記判定手段により新規な帳票であると判定された帳票の書式定義辞書を前記センター装置の書式定義辞書データベースから検索する検索手段と、前記検索手段により当該帳票の書式定義辞書が検索された場合に、該検索された書式定義辞書を前記センター装置からダウンロードするダウンロード手段とを備えたことを特徴とする請求項１に記載の辞書更新システム。
【請求項５】
前記取得手段は、前記検索手段により前記画像データに対応する帳票の書式定義辞書が検索されない場合に、当該画像データに対応する帳票の書式定義辞書の作成を前記センター装置に要求する作成要求手段をさらに備え、前記ダウンロード手段は、前記作成要求手段による要求に応答して前記センター装置が作成した書式定義辞書を前記センター装置からダウンロードすることを特徴とする請求項４に記載の辞書更新システム。
【請求項６】
帳票の各種書式を書式定義辞書に格納し、種類判別対象となる帳票の種類を前記書式定義辞書に基づいて判別する複数の帳票処理装置と、各帳票処理装置がそれぞれ有する書式定義辞書を帳票処理装置に対応づけて書式定義辞書データベースで管理するセンター装置とを有する辞書更新システムの辞書更新方法において、
各帳票処理装置が、前記種類判別対象となる帳票の水平・垂直方向の黒画素割合をブロック毎に加算した罫線特徴に基づいて該帳票が前記書式定義辞書にない新規な帳票であるか否かを仮判定する仮判定工程と、
前記仮判定工程により前記種類判別対象となる帳票が新規な帳票であると仮判定された場合に、該帳票を前記書式定義辞書に登録された帳票と照合して、当該帳票が前記書式定義辞書にない新規な帳票であるか否かを判定する判定工程と、
前記判定工程により新規な帳票であると判定された場合に、他の帳票処理装置が有する当該帳票に対応する書式定義辞書を前記センター装置から自動的に取得する取得工程と、
前記取得工程により取得された書式定義辞書を用いて、当該帳票処理装置内に保持した書式定義辞書を更新する辞書更新工程と、
前記帳票処理装置が前記センター装置から新規な帳票に対応する書式定義辞書を取得したならば、当該新規な帳票に対応する書式定義辞書の取得に要する対価を示すデータを前記センター装置に送信する対価送信工程と、
前記センター装置が各帳票処理装置から受信した対価を示すデータに基づいて各帳票処理装置の管理者から取得する対価を管理する対価管理工程と
を含んだことを特徴とする辞書更新方法。
【請求項７】
前記取得工程は、前記判定工程により新規な帳票であると判定された帳票の画像データを前記センター装置に対して送信する送信工程と、前記センター装置が前記帳票処理装置から画像データを受け付けた際に、当該画像データに対応する帳票の書式定義辞書を前記書式定義辞書データベースから検索する検索工程と、前記検索工程により書式定義辞書が検索された場合に、当該書式定義辞書を送信元の帳票処理装置に返送する返送工程とを含んだことを特徴とする請求項６に記載の辞書更新方法。
【請求項８】
前記センター装置が、前記検索工程により前記画像データに対応する帳票の書式定義辞書が検索されない場合に、当該画像データに対応する帳票の書式定義辞書を作成する書式定義辞書作成工程と、前記書式定義辞書作成工程により作成された書式定義辞書に基づいて前記書式定義辞書データベースを更新する更新工程とをさらに含み、前記返送工程は、前記書式定義辞書作成工程により作成された書式定義辞書を送信元の帳票処理装置に返送することを特徴とする請求項７に記載の辞書更新方法。
【請求項９】
前記取得工程は、前記判定工程により新規な帳票であると判定された帳票の書式定義辞書を前記センター装置の書式定義辞書データベースから検索する検索工程と、前記検索工程により当該帳票の書式定義辞書が検索された場合に、該検索された書式定義辞書を前記センター装置からダウンロードするダウンロード工程とを含んだことを特徴とする請求項６に記載の辞書更新方法。
【請求項１０】
前記取得工程は、前記検索工程により前記画像データに対応する帳票の書式定義辞書が検索されない場合に、当該画像データに対応する帳票の書式定義辞書の作成を前記センター装置に要求する作成要求工程をさらに含み、前記ダウンロード工程は、前記作成要求工程による要求に応答して前記センター装置が作成した書式定義辞書を前記センター装置からダウンロードすることを特徴とする請求項９に記載の辞書更新方法。
【請求項１１】
前記請求項６〜１０に記載された方法をコンピュータに実行させるプログラムを記録したことを特徴とするコンピュータ読み取り可能な記録媒体。
【発明の詳細な説明】
【０００１】
【発明の属する技術分野】
この発明は、帳票の各種書式を書式定義辞書に格納し、種類判別対象となる帳票の種類を書式定義辞書に基づいて判別する複数の帳票処理装置と、各帳票処理装置がそれぞれ有する書式定義辞書を帳票処理装置に対応づけて書式定義辞書データベースで管理するセンター装置とを有する辞書更新システム、辞書更新方法およびその方法をコンピュータに実行させるプログラムを記録したコンピュータ読み取り可能な記録媒体に関し、特に、人的労力の負担を軽減しつつ、迅速かつ効率良く書式定義辞書を更新することができる辞書更新システム、辞書更新方法および記録媒体に関する。
【０００２】
【従来の技術】
従来、口座振替依頼書などの帳票を処理する際には、まず帳票種別を判別した後にその帳票種別に対応する処理をおこなうことになるので、帳票処理装置では、あらかじめ処理対象となり得る帳票の書式を書式定義辞書に登録しておき、この書式定義辞書を用いて判別対象となる帳票の種類を判別することになる。
【０００３】
このため、かかる書式定義辞書に登録されていない帳票については処理できないため、ユーザは、新規帳票か否かをシステム製造元に確認するために、帳票の現物を製造元に送付する。
【０００４】
それを受けたシステム製造元は、新規帳票か否かをシミュレータなどを用いて判断し、新規帳票であると判断された場合には、その帳票を判別するための書式定義辞書を新たに作成して既存の書式定義辞書に追加し、追加された書式定義辞書がユーザの元へ送付され、既存の書式定義辞書と入れ替えて更新することになる。
【０００５】
このように、従来の帳票処理装置では、人手を介して現物の帳票の授受をおこない、最新の書式定義辞書に更新することにより、各種帳票の種類を判別していた。
【０００６】
【発明が解決しようとする課題】
しかしながら、帳票処理装置が判別すべき帳票の種類は極めて多く、また新たな帳票も頻繁に発生するので、かかる新規帳票が生ずる度に帳票の現物を製造元に送付していたのでは、その人的労力は膨大なものとなる。
【０００７】
このため、かかる書式定義辞書の更新は所定間隔ごとに定期的におこなわざるを得ないこととなり、その間は帳票処理装置で新規な帳票を取り扱えないという事態が生ずる。
【０００８】
本来、帳票処理装置を取り扱う金融機関などでは、新規な帳票であってもこれに早急に処理し得るサービスを提供することが望ましいので、人的労力の負担を軽減しつつ、かかる書式定義辞書をいかに迅速かつ効率良く更新するかが極めて重要な課題となっている。
【０００９】
この発明は、上述した従来技術による問題点を解消するためになされたものであり、人的労力の負担を軽減しつつ、迅速かつ効率良く辞書を更新することができる辞書更新システム、辞書更新方法およびその方法をコンピュータに実行させるプログラムを記録したコンピュータ読み取り可能な記録媒体を提供することを目的とする。
【００１０】
【課題を解決するための手段】
上述した課題を解決し、目的を達成するため、請求項１の発明に係る辞書更新システムは、帳票の各種書式を書式定義辞書に格納し、種類判別対象となる帳票の種類を前記書式定義辞書に基づいて判別する複数の帳票処理装置と、各帳票処理装置がそれぞれ有する書式定義辞書を帳票処理装置に対応づけて書式定義辞書データベースで管理するセンター装置とを有する辞書更新システムにおいて、各帳票処理装置は、前記種類判別対象となる帳票の水平・垂直方向の黒画素割合をブロック毎に加算した罫線特徴に基づいて該帳票が前記書式定義辞書にない新規な帳票であるか否かを仮判定する仮判定手段と、前記仮判定手段により前記種類判別対象となる帳票が新規な帳票であると仮判定された場合に、該帳票を前記書式定義辞書に登録された帳票と照合して、当該帳票が前記書式定義辞書にない新規な帳票であるか否かを判定する判定手段と、前記判定手段により新規な帳票であると判定された場合に、他の帳票処理装置が有する当該帳票に対応する書式定義辞書を前記センター装置から自動的に取得する取得手段と、前記取得手段により取得された書式定義辞書を用いて、当該帳票処理装置内に保持した書式定義辞書を更新する辞書更新手段と、前記センター装置から新規な帳票に対応する書式定義辞書を取得したならば、当該新規な帳票に対応する書式定義辞書の取得に要する対価を示すデータを前記センター装置に送信する対価送信手段とを備え、前記センター装置は、各帳票処理装置から受信した対価を示すデータに基づいて各帳票処理装置の管理者から取得する対価を管理する対価管理手段を備えたことを特徴とする。
【００１１】
また、請求項２の発明に係る辞書更新システムは、請求項１の発明において、前記取得手段は、前記判定手段により新規な帳票であると判定された帳票の画像データを前記センター装置に対して送信し、前記センター装置は、前記帳票処理装置から画像データを受け付けた際に、当該画像データに対応する帳票の書式定義辞書を前記書式定義辞書データベースから検索する検索手段と、前記検索手段により書式定義辞書が検索された場合に、当該書式定義辞書を送信元の帳票処理装置に返送する返送手段とを備えたことを特徴とする。
【００１２】
また、請求項３の発明に係る辞書更新システムは、請求項２の発明において、前記センター装置は、前記検索手段により前記画像データに対応する帳票の書式定義辞書が検索されない場合に、当該画像データに対応する帳票の書式定義辞書を作成する書式定義辞書作成手段と、前記書式定義辞書作成手段により作成された書式定義辞書に基づいて前記書式定義辞書データベースを更新する更新手段とをさらに備え、前記返送手段は、前記書式定義辞書作成手段により作成された書式定義辞書を送信元の帳票処理装置に返送することを特徴とする。
【００１３】
また、請求項４の発明に係る辞書更新システムは、請求項１の発明において、前記取得手段は、前記判定手段により新規な帳票であると判定された帳票の書式定義辞書を前記センター装置の書式定義辞書データベースから検索する検索手段と、前記検索手段により当該帳票の書式定義辞書が検索された場合に、該検索された書式定義辞書を前記センター装置からダウンロードするダウンロード手段とを備えたことを特徴とする。
【００１４】
また、請求項５の発明に係る辞書更新システムは、請求項４の発明において、前記取得手段は、前記検索手段により前記画像データに対応する帳票の書式定義辞書が検索されない場合に、当該画像データに対応する帳票の書式定義辞書の作成を前記センター装置に要求する作成要求手段をさらに備え、前記ダウンロード手段は、前記作成要求手段による要求に応答して前記センター装置が作成した書式定義辞書を前記センター装置からダウンロードすることを特徴とする。
【００１７】
また、請求項６の発明に係る辞書更新方法は、帳票の各種書式を書式定義辞書に格納し、種類判別対象となる帳票の種類を前記書式定義辞書に基づいて判別する複数の帳票処理装置と、各帳票処理装置がそれぞれ有する書式定義辞書を帳票処理装置に対応づけて書式定義辞書データベースで管理するセンター装置とを有する辞書更新システムの辞書更新方法において、各帳票処理装置が、前記種類判別対象となる帳票の水平・垂直方向の黒画素割合をブロック毎に加算した罫線特徴に基づいて該帳票が前記書式定義辞書にない新規な帳票であるか否かを仮判定する仮判定工程と、前記仮判定工程により前記種類判別対象となる帳票が新規な帳票であると仮判定された場合に、該帳票を前記書式定義辞書に登録された帳票と照合して、当該帳票が前記書式定義辞書にない新規な帳票であるか否かを判定する判定工程と、前記判定工程により新規な帳票であると判定された場合に、他の帳票処理装置が有する当該帳票に対応する書式定義辞書を前記センター装置から自動的に取得する取得工程と、前記取得工程により取得された書式定義辞書を用いて、当該帳票処理装置内に保持した書式定義辞書を更新する辞書更新工程と、前記帳票処理装置が前記センター装置から新規な帳票に対応する書式定義辞書を取得したならば、当該新規な帳票に対応する書式定義辞書の取得に要する対価を示すデータを前記センター装置に送信する対価送信工程と、前記センター装置が各帳票処理装置から受信した対価を示すデータに基づいて各帳票処理装置の管理者から取得する対価を管理する対価管理工程とを含んだことを特徴とする。
【００１８】
また、請求項７の発明に係る辞書更新方法は、請求項６の発明において、前記取得工程は、前記判定工程により新規な帳票であると判定された帳票の画像データを前記センター装置に対して送信する送信工程と、前記センター装置が前記帳票処理装置から画像データを受け付けた際に、当該画像データに対応する帳票の書式定義辞書を前記書式定義辞書データベースから検索する検索工程と、前記検索工程により書式定義辞書が検索された場合に、当該書式定義辞書を送信元の帳票処理装置に返送する返送工程とを含んだことを特徴とする。
【００１９】
また、請求項８の発明に係る辞書更新方法は、請求項７の発明において、前記センター装置が、前記検索工程により前記画像データに対応する帳票の書式定義辞書が検索されない場合に、当該画像データに対応する帳票の書式定義辞書を作成する書式定義辞書作成工程と、前記書式定義辞書作成工程により作成された書式定義辞書に基づいて前記書式定義辞書データベースを更新する更新工程とをさらに含み、前記返送工程は、前記書式定義辞書作成工程により作成された書式定義辞書を送信元の帳票処理装置に返送することを特徴とする。
【００２０】
また、請求項９の発明に係る辞書更新方法は、請求項６の発明において、前記取得工程は、前記判定工程により新規な帳票であると判定された帳票の書式定義辞書を前記センター装置の書式定義辞書データベースから検索する検索工程と、前記検索工程により当該帳票の書式定義辞書が検索された場合に、該検索された書式定義辞書を前記センター装置からダウンロードするダウンロード工程とを含んだことを特徴とする。
【００２１】
また、請求項１０の発明に係る辞書更新方法は、請求項９の発明において、前記取得工程は、前記検索工程により前記画像データに対応する帳票の書式定義辞書が検索されない場合に、当該画像データに対応する帳票の書式定義辞書の作成を前記センター装置に要求する作成要求工程をさらに含み、前記ダウンロード工程は、前記作成要求工程による要求に応答して前記センター装置が作成した書式定義辞書を前記センター装置からダウンロードすることを特徴とする。
【００２４】
また、請求項１１の発明に係る記録媒体は、請求項６〜１０のいずれか一つに記載された方法をコンピュータに実行させるプログラムを記録したことで、そのプログラムを機械読み取り可能となり、これによって、請求項６〜１０のいずれか一つの動作をコンピュータによって実現することができる。
【００２５】
【発明の実施の形態】
以下に添付図面を参照して、この発明に係る辞書更新システム、辞書更新方法、およびその方法をコンピュータに実行させるプログラムを記録したコンピュータ読み取り可能な記録媒体の好適な実施の形態を詳細に説明する。なお、本実施の形態では、本発明を帳票の処理に適用した場合を示すこととする。
【００２６】
（実施の形態１）
図１は、本実施の形態１に係る辞書更新システムのシステム構成を示す図である。同図に示す辞書更新システムは、帳票処理装置１０〜１２と、メンテナンスセンター１３とからなり、メンテナンスセンター１３で各帳票処理装置１０〜１２が持つ書式定義辞書を管理しておき、帳票処理装置１０〜１２が新規帳票であると判定した場合に、メンテナンスセンター１３に新規帳票の画像データを送信し、メンテナンスセンター１３がその新規帳票に対応する書式定義辞書を有する場合には、その書式定義辞書を帳票処理装置１０〜１２がメンテナンスセンター１３から取得する。
【００２７】
すなわち、帳票処理装置１０〜１２がそれぞれ有する書式定義辞書が同一でない場合には、帳票処理装置１０にとって新規帳票であったとしても、この帳票が他の帳票処理装置１１または１２にとって新規な帳票でない場合もある。
【００２８】
このため、本実施の形態１に係る辞書更新システムでは、かかる場合に各帳票処理装置１０〜１２の書式定義辞書をまとめて管理するメンテナンスセンター１３から書式定義辞書を自動的に取得することにより、新規帳票の種別を判別できるようにしている。
【００２９】
なお、メンテナンスセンター１３にとってまったく新規な帳票である場合には、メンテナンスセンター１３で新たな書式定義辞書を作成し、作成した書式定義辞書を帳票処理装置１０〜１２に提供することになる。
【００３０】
次に、図１に示した帳票処理装置１０の構成について説明する。なお、かかる帳票処理装置１０〜１２は同様の構成となるので、ここでは帳票処理装置１０の構成を説明することとする。
【００３１】
図１に示すように、この帳票処理装置１０は、インターフェース部１０ａと、画像入力部１０ｂと、新規帳票判定部１０ｃと、書式定義辞書記憶部１０ｄと、書式定義辞書管理部１０ｅと、対価支払部１０ｆと、制御部１０ｇとからなる。なお、新規帳票判定部１０ｃは請求項１の判定手段に対応し、制御部１０ｇは請求項１の取得手段に対応し、書式定義辞書管理部１０ｅは請求項１の辞書更新手段に対応する。また、対価支払部１０ｆは、請求項６の対価送信手段に対応する。
【００３２】
インターフェース部１０ａは、メンテナンスセンター１３との間でデータ授受するためのデータ入出力部であり、画像入力部１０ｂは、判別対象となる帳票の画像データを光学的に読み取るスキャナである。
【００３３】
新規帳票判定部１０ｃは、画像入力部１０ｂから取り込んだ画像データ中の帳票が新規帳票であるか否かを判定する処理部であり、具体的には、後述する罫線特徴などを用いて候補となる帳票を仮判定し、仮判定した帳票と判別対象となる帳票の照合率に基づいて新規帳票であるか否かを判定する。
【００３４】
書式定義辞書記憶部１０ｄは、帳票の判別をおこなう際の比較対象となる帳票の書式を定義した書式定義辞書を記憶する記憶部であり、書式定義辞書管理部１０ｅは、書式定義辞書記憶部１０ｄに記憶した帳票の書式の管理および更新をおこなう処理部である。
【００３５】
対価支払部１０ｆは、メンテナンスセンター１３から新規帳票に対応する書式定義辞書を受け取った場合に、その見返りとしての対価の支払いを担う処理部である。具体的には、あらかじめ契約により定められた金額を含むデータをメンテナンスセンター１３に送信し、その後、週ごとまたは月ごとの集計金額に基本料金を加えた金額がメンテナンスセンター１３の管理者から請求される。
【００３６】
制御部１０ｇは、帳票処理装置１０の全体制御をおこなう制御部であり、特に、新規帳票判定部１０ｃによって新規帳票であると判定された場合には、当該帳票の画像データをメンテナンスセンター１３に送信制御する。また、メンテナンスセンター１３から書式定義辞書を受信した場合には、この書式定義辞書を書式定義辞書管理部１０ｅに出力するともに、対価支払部１０ｆに対価の支払いを指示する。
【００３７】
次に、図１に示したメンテナンスセンター１３の構成について説明する。図１に示すように、このメンテナンスセンター１３は、インターフェース部１３ａと、書式定義管理部１３ｂと、書式定義辞書データベース１３ｃと、書式定義検索部１３ｄと、書式定義辞書作成部１３ｅと、対価管理部１３ｆと、制御部１３ｇとからなる。なお、書式定義検索部１３ｄは請求項２の検索手段に対応し、制御部１３ｇは請求項２の返送手段に対応し、書式定義辞書作成部１３ｅは請求項３の書式定義辞書作成手段に対応し、書式定義管理部１３ｂは請求項３の返送手段に対応する。
【００３８】
インターフェース部１３ａは、帳票処理装置１０〜１２との間でデータ授受するためのデータ入出力部であり、書式定義管理部１３ｂは、各帳票処理装置１０〜１２がそれぞれ保持する書式定義辞書をまとめて管理する管理部であり、具体的には、書式定義辞書データベース１３ｃを用いてこれらの書式定義辞書を帳票処理装置ごとに管理する。なお、新たな書式定義辞書が作成された場合や、他の書式定義辞書を流用したような場合には、書式定義辞書データベース１３ｃを更新する。
【００３９】
書式定義検索部１３ｄは、帳票処理装置１０〜１２から新規帳票を受け取った場合に、この新規帳票に対応する書式定義を書式定義辞書データベース１３ｃから検索する処理部である。なお、たとえば帳票処理装置１０から新規帳票を受け取った場合には、この帳票処理装置１０の書式定義辞書はすでに装置内部で検索されているので、ここでは他の帳票処理装置１１および１２の書式定義辞書について検索すれば足りる。
【００４０】
書式定義辞書作成部１３ｅは、新規帳票に対応する書式定義辞書が書式定義辞書データベース１３ｃ内に存在しない場合に、この新規帳票に対応する書式定義辞書を作成する処理部である。対価管理部１３ｆは、各帳票処理装置１０〜１２から送信される対価のデータに基づいて各帳票処理装置１０〜１２ごとの課金状況を管理する管理部である。
【００４１】
制御部１３ｇは、メンテナンスセンター１３の全体制御をおこなう制御部であり、特に、帳票処理装置１０〜１２から帳票の画像データを受け付けた場合には、書式定義検索部１３ｄに検索依頼をおこなう。また、書式定義辞書データベース１３ｃ内に該当する書式定義辞書が存在する場合には、この書式定義辞書を送信元の帳票処理装置に返送する。また、該当する書式定義辞書が存在しない場合には、書式定義辞書作成部１３ｅに書式定義辞書の作成を指示する。
【００４２】
上記構成を有する帳票処理装置１０〜１２およびメンテナンスセンター１３を用いることにより、帳票処理装置１０〜１２が新規帳票であると判定した場合には、該帳票に対応する書式定義辞書をメンテナンスセンター１３から取得することができる。
【００４３】
次に、図１に示した帳票処理装置１０およびメンテナンスセンター１３の処理手順について説明する。図２は、図１に示した帳票処理装置１０およびメンテナンスセンター１３の処理手順を示すフローチャートである。
【００４４】
同図に示すように、帳票処理装置１０の新規帳票判定部１０ｃにより新規帳票であると判定されたならば（ステップＳ２０１）、この帳票の画像データがメンテナンスセンター１３に自動送信される（ステップＳ２０２）。
【００４５】
そして、メンテナンスセンター１３が、この帳票の画像データを受信したならば（ステップＳ２０３）、書式定義検索部１３ｄが書式定義辞書データベース１３ｃを検索する（ステップＳ２０４）。
【００４６】
その結果、帳票に対応する書式定義辞書が存在しない場合には（ステップＳ２０５否定）、書式定義辞書作成部１３ｅにより書式定義辞書を作成した後（ステップＳ２０６）、書式定義辞書データベース１３ｃを更新する（ステップＳ２０７）。なお、帳票に対応する書式定義辞書が存在する場合には（ステップＳ２０５肯定）、そのまま書式定義辞書データベース１３ｃを更新する（ステップＳ２０７）。
【００４７】
その後、メンテナンスセンター１３が書式定義辞書を帳票処理装置１０に送信し（ステップＳ２０８）、帳票処理装置１０がこの書式定義辞書を受信したならば（ステップＳ２０９）、書式定義辞書管理部１０ｅが、書式定義辞書記憶部１０ｄに記憶した書式定義辞書を更新する（ステップＳ２１０）。
【００４８】
その後、帳票処理装置１０〜１２は、メンテナンスセンター１３に対価を示すデータを送信すると（ステップＳ２１１）、メンテナンスセンター１３は、対価を受信して管理する（ステップＳ２１２）。
【００４９】
次に、図１に示した新規帳票判定部１０ｃによる判定手順について説明する。図３は、図１に示した新規帳票判定部１０ｃによる判定手順を示すフローチャートである。同図に示すように、この新規帳票判定部１０ｃは、後述する帳票内の罫線特徴などを用いて新規帳票であるか否かを仮判定し（ステップＳ３０１）、この段階で新規帳票と仮判定されない場合には（ステップＳ３０２否定）、新規帳票でないものとする（ステップＳ３０７）。
【００５０】
これに対して、新規帳票と仮判定された場合には（ステップＳ３０２肯定）、特開平９−２４５１６７号公報に開示される画像照合方法などを用いて、未記入の帳票との間で重ね合わせをおこなう（ステップＳ３０３）。なお、この先行技術に開示される技術は、フーリエ変換およびハフ変換を用いて正確に回転角および平行移動量を求めるものである。
【００５１】
その後、特開平９−２８８７３４号公報に開示される画像照合装置などを用いて照合率を算出し（ステップＳ３０４）、この照合率が所定のしきい値以下である場合には（ステップＳ３０５肯定）、新規帳票であると判定し（ステップＳ３０６）、しきい値以下でない場合には（ステップＳ３０５否定）、新規帳票でないと判定する（ステップＳ３０７）。なお、この先行技術は、極大値の近傍画素の画素値を補完した補完極大値画像を用いて照合率を算定するものである。
【００５２】
次に、図３のステップＳ３０１で示した新規帳票の仮判定手順についてさらに具体的に説明する。図４は、帳票の一例を示す図であり、図５は、図３のステップＳ３０１で示した新規帳票の仮判定手順を示すフローチャートである。
【００５３】
図４に示すように、通常の帳票は罫線により特徴づけられるため、この罫線の特徴を用いれば、多くの帳票をある程度判別することができる。しかしながら、罫線が全く同じで帳票に印刷された文字のみが異なる帳票も数多く存在するため、ここでは罫線特徴と帳票の印刷文字を用いて仮判定をおこなう。
【００５４】
具体的には、図５に示すように、帳票の種別を判別する場合には、まず最初に帳票の画像を画像入力部１０ｂから取り込み（ステップＳ５０１）、必要に応じて画像の前処理をおこなう（ステップＳ５０２）。ただし、この前処理には線分の補間処理などは含まれない。
【００５５】
その後、あらかじめ指定された区間についての水平・垂直方向の黒画素割合を算定し（ステップＳ５０３）、この黒画素割合をブロックごとに加算して罫線特徴を抽出する（ステップＳ５０４）。
【００５６】
そして、抽出された罫線特徴と罫線特徴辞書１０４に登録された罫線特徴と照合して（ステップＳ５０５）、距離値が所定のしきい値以内であるか否かを調べ、この距離順にしたがって帳票の候補を近い順にソートする。
【００５７】
そして、所定のしきい値以内である場合には、詳細判定をおこなって（ステップＳ５０６）、判定結果を出力し（ステップＳ５０７）、所定のしきい値内でない場合には、そのまま判定結果を出力する（ステップＳ５０７）。
【００５８】
すなわち、かかる帳票の候補のうち、１位と２位との間があるしきい値以上離れていれば１位のものを判定結果として出力することになるが、両者が離れていないときには、特定領域の文字列を認識し、それでも駄目なら別の特定領域も認識することになる。
【００５９】
上述してきたように、本実施の形態１では、帳票処理装置１０の新規帳票判定部１０ｃが新規帳票であると判定した場合には、この帳票の画像データをメンテナンスセンター１３に送信し、書式定義辞書データベース１３ｃ内に該当する書式定義辞書が存在する場合には、該書式定義辞書を帳票処理装置１０に送信して、書式定義辞書記憶部１０ｄの内容を更新するよう構成したので、帳票処理装置１０で処理できない帳票が発生した場合であっても、人的労力を伴うことなく効率的に該帳票を処理し得る状態に移行することができる。
【００６０】
なお、本実施の形態１では、帳票の画像データをメンテナンスセンター１３に送信することとしたが、本発明はこれに限定されるものではなく、文字認識された１文字単位の文字データとその読みをメンテナンスセンター１３に送信し、センター１３側で自動的に追加学習し、個別の文字を認識する精度を向上させた文字認識辞書へ更新し、ユーザへ提供するさせるよう構成することもできる。この場合には、精度を向上させた文字認識辞書の更新件数に応じて、辞書更新料金をユーザから報酬として受け取ることができる。
【００６１】
また、帳票処理装置で書式定義辞書を取得したあとに、取得に対する対価を示すデータをメンテナンスセンターへ送信したが、このような方法ではなく、メンテナンスセンターの対価管理部で書式定義辞書のダウンロード状況を把握しておき、即時または後日に各帳票処理装置の管理者から対価を徴収するようにしてもよい。
【００６２】
（実施の形態２）
ところで、上記実施の形態１では、メンテナンスセンター１３が主導的に書式定義辞書を検索などをおこなう場合を示したが、帳票処理装置１０〜１２が主導的に書式定義辞書を検索などをおこなうこともできる。そこで、本実施の形態２では、帳票処理装置１０〜１２が主導的に書式定義辞書を検索などをおこなう場合について説明する。
【００６３】
図６は、本実施の形態２に係る辞書更新システムのシステム構成を示すブロック図であり、辞書更新システムは、帳票処理装置６０〜６２と、メンテナンスセンター１３とかならなる。なお、ここでは説明の便宜上、図１に示すものと同様の部分はその説明を省略する。
【００６４】
同図に示す辞書更新システムは、帳票処理装置６０〜６２が、新規帳票であると判定した場合に、この帳票に対応する書式定義辞書を主導的に検索してダウンロードするよう構成したものである。
【００６５】
具体的には、帳票処理装置６０は、インターフェース部１０ａと、画像入力部１０ｂと、新規帳票判定部１０ｃと、書式定義辞書記憶部１０ｄと、書式定義辞書管理部１０ｅと、対価支払部１０ｆと、書式定義辞書検索部６０ａと、書式定義辞書ダウンロード部６０ｂと、制御部６０ｃとからなる。
【００６６】
書式定義辞書検索部６０ａは、新規帳票判定部１０ｃが新規帳票であると判定した場合に、メンテナンスセンター１３内の書式定義辞書データベース１３ｃを検索する処理部である。具体的には、メンテナンスセンター１３にアクセスし、追加したい新規帳票の画像データと帳票名を入力し、書式定義辞書データベース１３ｃ内に新規帳票に対応する書式定義辞書が既に存在するか否かをリモート検索することになる。
【００６７】
書式定義辞書ダウンロード部６０ｂは、書式定義辞書検索部６０ａにより検索した書式定義辞書データベース１３ｃ内の書式定義辞書または書式定義辞書作成部１３ｅにより作成された書式定義辞書をダウンロードする処理部である。具体的にはＦＴＰ（File Transfer Protocol）などを用いて書式定義辞書をダウンロードすることになる。
【００６８】
制御部６０ｃは、帳票処理装置６０を全体制御をおこなう制御部であり、特に、新規帳票判定部１０ｃにより新規帳票であると判定された場合には、書式定義検索部６０ａに検索指示をおこなう。また、書式定義辞書が検索された場合またはメンテナンスセンター１３から書式定義辞書の作成通知を受けた場合には、書式定義辞書ダウンロード部６０ｂに対してダウンロード指示をおこなう。
【００６９】
次に、図６に示した帳票処理装置６０の処理手順について説明する。図７は、図６に示した帳票処理装置６０の処理手順を示すフローチャートである。同図に示すように、この帳票処理装置６０は、新規帳票判定部１０ｃによって新規帳票であるか否かを判定し（ステップＳ７０１）、新規帳票でないと判定した場合には（ステップＳ７０２否定）、そのまま処理を終了する。
【００７０】
これに対して、新規帳票であると判定した場合には（ステップＳ７０２肯定）、メンテナンスセンター１３の書式定義辞書データベース１３ｃを検索し（ステップＳ７０３）、帳票に対応する書式定義辞書が存在しない場合には（ステップＳ７０４肯定）、書式定義辞書の新規作成をメンテナンスセンター１３に要求する（ステップＳ７０５）。
【００７１】
そして、この要求に応答して書式定義辞書の作成・完了通知を受信したならば（ステップＳ７０６）、書式定義辞書を追加する旨を要求した後に（ステップＳ７０７）、書式定義辞書ダウンロード部６０ｂにより書式定義辞書をダウンロードした後（ステップＳ７０８）、書式定義辞書記憶部１０ｄの記憶内容を更新した後（ステップＳ７０９）、メンテナンスセンター１３に対価を送信して（ステップＳ７１０）、処理を終了する。
【００７２】
また、本実施の形態２においても、帳票処理装置で書式定義辞書を取得したあとに、取得に対する対価を示すデータをメンテナンスセンターへ送信しないで、メンテナンスセンターの対価管理部で書式定義辞書のダウンロード状況を把握しておき、即時または後日に各帳票処理装置の管理者から対価を徴収するようにしてもよい。
【００７３】
上述してきたように、本実施の形態２によれば、帳票処理装置６０の新規帳票判定部１０ｃが新規帳票であると判定した場合に、書式定義辞書検索部６０ａによって帳票処理装置６０側で主導的にメンテナンスセンター１３上の書式定義辞書を検索し、書式定義辞書ダウンロード部６０ｂでダウンロードするよう構成したので、メンテナンスセンター１３の負担を招くことなく、効率良く書式定義辞書を取得することができる。
【００７４】
【発明の効果】
以上説明したように、請求項１の発明によれば、各帳票処理装置が、種類判別対象となる帳票の水平・垂直方向の黒画素割合をブロック毎に加算した罫線特徴に基づいて該帳票が書式定義辞書にない新規な帳票であるか否かを仮判定するとともに、この帳票が新規な帳票であると仮判定された場合には、さらに該帳票を書式定義辞書に登録された帳票と照合して、当該帳票が書式定義辞書にない新規な帳票であるか否かを判定し、新規な帳票であると判定された場合に、他の帳票処理装置が有する当該帳票に対応する書式定義辞書をセンター装置から自動的に取得し、取得した書式定義辞書を用いて、当該帳票処理装置内に保持した書式定義辞書を更新するとともに、センター装置から新規な帳票に対応する書式定義辞書を取得したならば、当該新規な帳票に対応する書式定義辞書の取得に要する対価を示すデータをセンター装置に送信し、センター装置は、各帳票処理装置から受信した対価を示すデータに基づいて各帳票処理装置の管理者から取得する対価を管理するよう構成したので、帳票処理装置で処理できない帳票が発生した場合であっても、人的労力を伴うことなく効率的に該帳票を処理し得る状態に移行することが可能な辞書更新システムが得られるという効果を奏する。特に、帳票を特徴づける罫線特徴を用いて仮判定することとしたので、明らかに新規帳票ではないものを除外しつつ可能性のあるもののみを詳細に判定し、もって帳票が新規な帳票であるか否かを迅速かつ効率的に判定することができる。また、センター装置の管理者は、書式定義辞書の管理および更新に係る労力に見合う対価を取得でき、もってセンター装置側を独立採算可能な組織にすることが可能な辞書更新システムが得られるという効果を奏する。
【００７５】
また、請求項２の発明によれば、新規な帳票であると判定された帳票の画像データをセンター装置に対して送信し、センター装置では、画像データを受け付けた際に、当該画像データに対応する帳票の書式定義辞書を書式定義辞書データベースから検索し、この書式定義辞書が検索された場合に、当該書式定義辞書を送信元の帳票処理装置に返送するよう構成したので、センター装置の主導下に、センター装置内で管理する書式定義辞書を効率良く帳票処理装置に提供することが可能な辞書更新システムが得られるという効果を奏する。
【００７６】
また、請求項３の発明によれば、センター装置で画像データに対応する帳票の書式定義辞書が検索されない場合に、当該画像データに対応する帳票の書式定義辞書を作成し、作成した書式定義辞書に基づいて書式定義辞書データベースを更新するとともに、作成した書式定義辞書を送信元の帳票処理装置に返送するよう構成したので、書式定義辞書がセンター装置内に保持されていない場合であっても、書式定義辞書を効率良く帳票処理装置に提供することが可能な辞書更新システムが得られるという効果を奏する。
【００７７】
また、請求項４の発明によれば、新規な帳票であると判定された帳票の書式定義辞書を帳票処理装置がセンター装置の書式定義辞書データベースから検索し、当該帳票の書式定義辞書が検索された場合に、該検索された書式定義辞書をセンター装置からダウンロードするよう構成したので、帳票処理装置の主導下にセンター装置内で管理する書式定義辞書を効率良く取得することが可能な辞書更新システムが得られるという効果を奏する。
【００７８】
また、請求項５の発明によれば、画像データに対応する帳票の書式定義辞書が検索されない場合に、当該画像データに対応する帳票の書式定義辞書の作成をセンター装置に要求し、この要求に応答してセンター装置が作成した書式定義辞書をセンター装置からダウンロードするよう構成したので、書式定義辞書がセンター装置内に保持されていない場合であっても、書式定義辞書を効率良く取得することが可能な辞書更新システムが得られるという効果を奏する。
【００８１】
また、請求項６の発明によれば、各帳票処理装置が、種類判別対象となる帳票の水平・垂直方向の黒画素割合をブロック毎に加算した罫線特徴に基づいて該帳票が書式定義辞書にない新規な帳票であるか否かを仮判定するとともに、この帳票が新規な帳票であると仮判定された場合には、さらに該帳票を書式定義辞書に登録された帳票と照合して、当該帳票が書式定義辞書にない新規な帳票であるか否かを判定し、新規な帳票であると判定された場合に、他の帳票処理装置が有する当該帳票に対応する書式定義辞書をセンター装置から自動的に取得し、取得した書式定義辞書を用いて、当該帳票処理装置内に保持した書式定義辞書を更新するとともに、センター装置から新規な帳票に対応する書式定義辞書を取得したならば、当該新規な帳票に対応する書式定義辞書の取得に要する対価を示すデータをセンター装置に送信し、センター装置は、各帳票処理装置から受信した対価を示すデータに基づいて各帳票処理装置の管理者から取得する対価を管理するよう構成したので、帳票処理装置で処理できない帳票が発生した場合であっても、人的労力を伴うことなく効率的に該帳票を処理し得る状態に移行することが可能な辞書更新方法が得られるという効果を奏する。特に、帳票を特徴づける罫線特徴を用いて仮判定することとしたので、明らかに新規帳票ではないものを除外しつつ可能性のあるもののみを詳細に判定し、もって帳票が新規な帳票であるか否かを迅速かつ効率的に判定することができる。また、センター装置の管理者は、書式定義辞書の管理および更新に係る労力に見合う対価を取得でき、もってセンター装置側を独立採算可能な組織にすることが可能な辞書更新システムが得られるという効果を奏する。
【００８２】
また、請求項７の発明によれば、新規な帳票であると判定された帳票の画像データをセンター装置に対して送信し、センター装置では、画像データを受け付けた際に、当該画像データに対応する帳票の書式定義辞書を書式定義辞書データベースから検索し、この書式定義辞書が検索された場合に、当該書式定義辞書を送信元の帳票処理装置に返送するよう構成したので、センター装置の主導下に、センター装置内で管理する書式定義辞書を効率良く帳票処理装置に提供することが可能な辞書更新方法が得られるという効果を奏する。
【００８３】
また、請求項８の発明によれば、センター装置で画像データに対応する帳票の書式定義辞書が検索されない場合に、当該画像データに対応する帳票の書式定義辞書を作成し、作成した書式定義辞書に基づいて書式定義辞書データベースを更新するとともに、作成した書式定義辞書を送信元の帳票処理装置に返送するよう構成したので、書式定義辞書がセンター装置内に保持されていない場合であっても、書式定義辞書を効率良く帳票処理装置に提供することが可能な辞書更新方法が得られるという効果を奏する。
【００８４】
また、請求項９の発明によれば、新規な帳票であると判定された帳票の書式定義辞書を帳票処理装置がセンター装置の書式定義辞書データベースから検索し、当該帳票の書式定義辞書が検索された場合に、該検索された書式定義辞書をセンター装置からダウンロードするよう構成したので、帳票処理装置の主導下にセンター装置内で管理する書式定義辞書を効率良く取得することが可能な辞書更新方法が得られるという効果を奏する。
【００８５】
また、請求項１０の発明によれば、画像データに対応する帳票の書式定義辞書が検索されない場合に、当該画像データに対応する帳票の書式定義辞書の作成をセンター装置に要求し、この要求に応答してセンター装置が作成した書式定義辞書をセンター装置からダウンロードするよう構成したので、書式定義辞書がセンター装置内に保持されていない場合であっても、書式定義辞書を効率良く取得することが可能な辞書更新方法が得られるという効果を奏する。
【００８６】
また、請求項１３の発明によれば、帳票処理装置は、センター装置から書式定義辞書を取得したならば、当該書式定義辞書の取得に要する対価を示すデータをセンター装置に送信し、センター装置は、各帳票処理装置から受信した対価を示すデータに基づいて各帳票処理装置の管理者から取得する対価を管理するよう構成したので、センター装置の管理者は書式定義辞書の管理および更新に係る労力に見合う対価を取得でき、もってセンター装置側を独立採算可能な組織にすることが可能な辞書更新方法が得られるという効果を奏する。
【００８７】
また、請求項１４の発明によれば、センター装置が各帳票処理装置により取得した書式定義辞書に応じて各帳票処理装置の管理者から徴収すべき対価を管理するよう構成したので、センター装置において対価を一括管理することが可能な辞書更新方法が得られるという効果を奏する。
【００８８】
また、請求項１１の発明によれば、請求項６〜１０のいずれか一つに記載された方法をコンピュータに実行させるプログラムを記録したことで、そのプログラムを機械読み取り可能となり、これによって、請求項６〜１０のいずれか一つの動作をコンピュータによって実現することが可能な記録媒体が得られるという効果を奏する。
【図面の簡単な説明】
【図１】この発明の実施の形態１に係る辞書更新システムのシステム構成を示す図である。
【図２】図１に示した帳票処理装置およびメンテナンスセンターの処理手順を示すフローチャートである。
【図３】図１に示した新規帳票判定部による判定手順を示すフローチャートである。
【図４】本実施の形態で用いる帳票の一例を示す図である。
【図５】図３のステップＳ３０１で示した新規帳票の仮判定手順を示すフローチャートである。
【図６】本実施の形態２に係る辞書更新システムのシステム構成を示すブロック図である。
【図７】図６に示した帳票処理装置の処理手順を示すフローチャートである。
【符号の説明】
１０，１１，１２  帳票処理装置
１０ａ  インターフェース部
１０ｂ  画像入力部
１０ｃ  新規帳票判定部
１０ｄ  書式定義辞書記憶部
１０ｅ  書式定義辞書管理部
１０ｆ  対価支払部
１０ｇ  制御部
１３  メンテナンスセンター
１３ａ  インターフェース部
１３ｂ  書式定義管理部
１３ｃ  書式定義辞書データベース
１３ｄ  書式定義検索部
１３ｅ  書式定義辞書作成部
１３ｆ  対価管理部
１３ｇ  書式定義管理部
６０，６１，６２  帳票処理装置
６０ａ  書式定義辞書検索部
６０ｂ  書式定義辞書ダウンロード部
６０ｃ  制御部
【図１】
0003857513.tif 000002
【図２】
0003857513.tif 000003
【図３】
0003857513.tif 000004
【図４】
0003857513.tif 000005
【図５】
0003857513.tif 000006
【図６】
0003857513.tif 000007
【図７】
0003857513.tif 000008